(57)【要約】【課題】通信機器をスムーズに挿入取付できる通信機器収納ケースを提供する。【解決手段】通信機器収納ケース１は、横長矩形板状のインナーベース７と、インナーベース７に取り付けられて通信機器２の挿入時に案内する左右側板部と背板部とで成る略コ字状のセパレータ６と、これら複数のセパレータ６の左右側面及び背面を囲んで固定手段によりインナーベース７と複数のセパレータ６とを連結固定するインナーカバー８と、インナーカバー８とインナーベース７とセパレータ６とで複数の収納部を構成する収納ユニット５が取り付けられ、収納ユニット５の各収納部に対応する複数の開口３ａを形成したベース３と、ベース３の上面を覆うカバー４とで構成する。【選択図】図２
2007305706.tif 000002
【特許請求の範囲】
【請求項１】
前面を開口した複数の収納部に通信機器を挿入して固定手段により固定して成り、機器収納ラックに取り付けられるラックマウント型の通信機器収納ケースにおいて、左右方向に複数の取付部が形成された横長矩形板状のインナーベースと、該インナーベースの取付部に取り付けられて前記通信機器の挿入時に案内する左右側板部と背板部とで成る略コ字状のセパレータと、これら複数のセパレータの左右側面及び背面を囲んで固定手段により前記インナーベースと前記複数のセパレータとを連結固定するインナーカバーと、該インナーカバーと前記インナーベースと前記セパレータとで複数の収納部を構成する収納ユニットが取り付けられ、該収納ユニットの各収納部に対応する複数の開口を形成したベースと、前記ベースの上面を覆うカバーとで構成したことを特徴とする通信機器収納ケース。
【請求項２】
前記インナーベースの取付部は前記セパレータの左右側板部の下端に突設された係合爪が係合可能に前後方向に形成されたスリット孔であることを特徴とする請求項１に記載の通信機器収納ケース。
【請求項３】
前記セパレータは、左右側板部に放熱窓を形成するとともに、隣接するセパレータ間に間隙を設け、前記インナーカバーは、左右側面部に前記セパレータの放熱窓と対向する側面通気孔を形成するとともに、背面部に前記セパレータ間の間隙と対向する背面通気孔を形成したことを特徴とする請求項１又は請求項２に記載の通信機器収納ケース。
【請求項４】
前記インナーベースのセパレータ取付面は段部によって前記ベースの底板部との間に間隙を備え、前記セパレータ取付面に複数の放熱孔を形成するとともに、前記段部に通気部を設け、前記インナーカバーは前記インナーベースの通気部と対向するカバー通気部を形成したことを特徴とする請求項１乃至請求項３の何れかに記載の通信機器収納ケース。
【発明の詳細な説明】
【技術分野】
【０００１】
本発明は、メディアコンバータを収納するのに好適な通信機器収納ケースに関する。
【背景技術】
【０００２】
従来、通信機器としてメディアコンバータを収納する通信機器収納ケースは、トレイの前板部に通信機器が挿入可能な開口部が左右方向に複数設けられ、開口部の左右内側に直方体状の２個のブリッジ部が前板部から後方に所定間隔をおいて設けられ、通信機器の挿入時の案内及び取付時の左右方向の位置決めを行っている。そして、通信機器を開口部から挿入し、固定手段により固定していた（例えば、特許文献１参照。）。
【０００３】
【特許文献１】特開２００３−７８２６３号公報
【発明の開示】
【発明が解決しようとする課題】
【０００４】
このように、従来の通信機器収納ケースは通信機器の挿入時に案内するブリッジ部が連続して形成されていないため、通信機器が斜めに挿入されると通信機器がブリッジ部に引っ掛かってスムーズに挿入ができないという欠点があった。
【課題を解決するための手段】
【０００５】
本発明は、請求項１に記載の発明によれば、前面を開口した複数の収納部に通信機器を挿入して固定手段により固定して成り、機器収納ラックに取り付けられるラックマウント型の通信機器収納ケースにおいて、左右方向に複数の取付部が形成された横長矩形板状のインナーベースと、インナーベースの取付部に取り付けられて通信機器の挿入時に案内する左右側板部と背板部とで成る略コ字状のセパレータと、これら複数のセパレータの左右側面及び背面を囲んで固定手段によりインナーベースと複数のセパレータとを連結固定するインナーカバーと、インナーカバーとインナーベースとセパレータとで複数の収納部を構成する収納ユニットが取り付けられ、収納ユニットの各収納部に対応する複数の開口を形成したベースと、ベースの上面を覆うカバーとで構成したことを特徴とする。
【０００６】
請求項２に記載の発明によれば、請求項１に記載の通信機器収納ケースにおいて、インナーベースの取付部はセパレータの左右側板部の下端に突設された係合爪が係合可能に前後方向に形成されたスリット孔であることを特徴とする。
【０００７】
請求項３に記載の発明によれば、請求項１又は請求項２に記載の通信機器収納ケースにおいて、セパレータは、左右側板部に放熱窓を形成するとともに、隣接するセパレータ間に間隙を設け、インナーカバーは、左右側面部にセパレータの放熱窓と対向する側面通気孔を形成するとともに、背面部にセパレータ間の間隙と対向する背面通気孔を形成したことを特徴とする。
【０００８】
請求項４に記載の発明によれば、請求項１乃至請求項３の何れかに記載の通信機器収納ケースにおいて、インナーベースのセパレータ取付面は段部によってベースの底板部との間に間隙を備え、セパレータ取付面に複数の放熱孔を形成するとともに、段部に通気部を設け、インナーカバーはインナーベースの通気部と対向するカバー通気部を形成したことを特徴とする。
【発明の効果】
【０００９】
請求項１に記載の発明によれば、通信機器をスムーズに挿入取付できるという効果がある。
【００１０】
請求項２に記載の発明によれば、請求項１に記載の発明の効果に加えて、セパレータの取り付けが容易にできるという効果がある。
【００１１】
請求項３に記載の発明によれば、請求項１又は請求項２に記載の発明の効果に加えて、通信機器の放熱性を向上することができるという効果がある。
【００１２】
請求項４に記載の発明によれば、請求項１乃至請求項３の何れかに記載の発明の効果に加えて、通信機器の放熱性を向上することができるという効果がある。
【発明を実施するための最良の形態】
【００１３】
通信機器収納ケースは、横長矩形板状のインナーベースと、インナーベースに取り付けられて通信機器の挿入時に案内する左右側板部と背板部とで成る略コ字状のセパレータと、これら複数のセパレータの左右側面及び背面を囲んで固定手段によりインナーベースと複数のセパレータとを連結固定するインナーカバーと、インナーカバーとインナーベースとセパレータとで複数の収納部を構成する収納ユニットが取り付けられ、収納ユニットの各収納部に対応する複数の開口を形成したベースと、ベースの上面を覆うカバーとで構成する。
【実施例１】
【００１４】
本発明に係る通信機器収納ケースの実施例１を図１〜図１０の添付図面に基づいて説明する。
【００１５】
通信機器収納ケース１は、図１及び図２に示すように前面にメディアコンバータなどの通信機器２を挿入可能な複数の開口３ａを形成したベース３と、ベース３の上面を覆うカバー４と、ベース３の開口３ａの内側に設けられて通信機器２を収納する収納部を形成する収納ユニット５とで構成される。
【００１６】
収納ユニット５は、図３に示すように通信機器２の左右側面と背面を個々に囲むセパレータ６と、複数のセパレータ６が取り付けられるインナーベース７と、セパレータ６全体の左右側面と背面を囲んで固定手段によりセパレータ６とインナーベース７を連結固定するインナーカバー８とで成っている。
【００１７】
セパレータ６は、図４に示すように左右側板部６ａと背板部６ｂとで略コ字状に形成され、左右側板部６ａの前端縁は外側方向に開いて通信機器２の挿入がスムーズに行えるようになっており、左右側板部６ａの中央には通信機器２を放熱するための放熱窓６ｃが形成され、左右側板部６ａの下端前部には略Ｌ字状の係合爪６ｄが先端を後方に向けて突設している。また、背板部６ｂの外面上部にはインナーカバー８に固定するためのネジ６ｅが突設されている。
【００１８】
インナーベース７は、図５に示すように横長矩形板状のセパレータ取付面７ａの長手方向にセパレータ６の取付部が複数設けられ、この取付部としてセパレータ６の係合爪６ｄが係合可能に前後方向にスリット孔７ｂが形成されている。また、セパレータ取付面７ａには通信機器２を放熱するための放熱孔７ｃが形成され、セパレータ取付面７ａの全周縁は下方に折曲して段部７ｄを形成し、左右と後方の段部７ｄにはインナーカバー８を固定する雌ねじ孔７ｅが形成され、左右の段部７ｄには通気部７ｆが切り欠き形成されている。この段部７ｄにより、セパレータ６の取付時にセパレータ取付面７ａの裏面に突出する係合爪６ｄを逃がすための間隙を形成するとともに、通信機器２の放熱を放熱孔７ｃから間隙を通して通気部７ｆから排熱できるようになっている。また、後部側の長手方向の段部７ｄは更に後方に折曲されて固定部７ｇが設けられ、固定部７ｇにベース３に固定するためのねじ孔７ｈが形成されている。
【００１９】
こうして形成されたインナーベース７は、図６に示すようにスリット孔７ｂに上方からセパレータ６の係合爪６ｄを差し込んで後方に移動させることにより、係合爪６ｄがスリット孔７ｂに係合してセパレータ６前部の左右方向及び上下方向の固定及び後方への移動規制を行っている。
【００２０】
また、インナーカバー８は、インナーベース７に取り付けられた複数のセパレータ６全体の左右側面及び背面、並びにインナーベース７の左右と後方の段部７ｄを囲むように図７に示すように左右側面部８ａと背面部８ｂとで略コ字状に形成され、左右側面部８ａにはセパレータ６の放熱窓６ｃと対向する側面通気孔８ｃが形成されて通信機器２の放熱をセパレータ６の放熱窓６ｃから側面通気孔８ｃを介して排熱できるようになっており、また、左右側面部８ａの下端にインナーベース７の通気部７ｆと対向するカバー通気部８ｄが切り欠き形成されてインナーベース７の通気部７ｆから連続して排熱するようになっている。更に背面部８ｂにはセパレータ６，６間の間隙と対向する背面通気孔８ｅが形成され、通信機器２の放熱をセパレータ６の放熱窓６ｃからセパレータ６，６間の間隙を通して背面通気孔８ｅから排熱できるようになっている。また、背面部８ｂの上部にセパレータ６のネジ６ｅに対向する挿通孔８ｆと、左右側面部８ａ及び背面部８ｂの下部にインナーベース７の雌ねじ孔７ｅと対向するねじ挿通孔８ｇが形成されている。
【００２１】
インナーカバー８の取り付けは、図３に示すようにセパレータ６のネジ６ｅをインナーカバー８の背面部８ｂの挿通孔８ｆに挿通させてナット９で固定し、インナーカバー８の左右側面部８ａ及び背面部８ｂのねじ挿通孔８ｇに取付ねじ１０を挿通させてインナーベース７の雌ねじ孔７ｅに螺着することによりセパレータ６とインナーベース７を連結固定し、収納ユニット５が形成される。
【００２２】
収納ユニット５を収容するベース３及びカバー４は、図８に示すようにベース３が上面を開口した略箱状に形成され、ベース３の前部に形成された開口３ａに収納ユニット５の各収納部が臨むように近接して配置され、ベース３に突設した取付ねじ３ｂに収納ユニット５のねじ孔７ｈを挿通させ、図９に示すように固定ナット１１で締め付けることで収納ユニット５が固定される。そして、図１０に示すようにカバー４でベース３の上面開口を覆い、左右側面を固定ネジ１２で固定することにより通信機器収納ケース１が形成される。
【００２３】
このようにして形成された通信機器収納ケース１は、開口部３ａに通信機器２を挿入すると、セパレータ６の左右側板部６ａに案内されてスムーズに差し込むことができ、通信機器２の前面下端に突設した取付片２ａをインナーベース７の前方段部７ｂに当接するまで押し込み、取付片２ａのローレットネジ２ｂをインナーベース７の前方段部７ｂに形成した取付孔７ｉに螺着することにより通信機器２を固定する。通信機器２が取り付けられた通信機器収納ケース１はＥＩＡ規格に基づいて製作された機器収納ラック（図示せず）に取り付けられて使用される。
【図面の簡単な説明】
【００２４】
【図１】本発明に係る通信機器収納ケースの斜視図である。
【図２】本発明に係る通信機器収納ケースを後方から見た分解斜視図である。
【図３】本発明に係る収納ユニットを後方から見た斜視図である。
【図４】本発明に係るセパレータを後方から見た斜視図である。
【図５】本発明に係るインナーベースを後方から見た斜視図である。
【図６】インナーベースにセパレータを取り付ける様子を後方から見た斜視図である。
【図７】本発明に係るインナーカバーを後方から見た斜視図である。
【図８】本発明に係る通信機器収納ケースを後方から見た分解斜視図である。
【図９】ベースに収納ユニットを取り付けた状態を後方から見た斜視図である。
【図１０】通信機器収納ケースに通信機器を取り付ける様子を示す斜視図である。
【符号の説明】
【００２５】
１    通信機器収納ケース
２    通信機器
３    ベース
３ａ    開口
４    カバー
５    収納ユニット
６    セパレータ
７    インナーベース
８    インナーカバー
【図１】
2007305706.tif 000003
【図２】
2007305706.tif 000004
【図３】
2007305706.tif 000005
【図４】
2007305706.tif 000006
【図５】
2007305706.tif 000007
【図６】
2007305706.tif 000008
【図７】
2007305706.tif 000009
【図８】
2007305706.tif 000010
【図９】
2007305706.tif 000011
【図１０】
2007305706.tif 000012